【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
近隣のネットワークデバイスを決定するためにオンライン端末デバイスによって送信された要求情報を受信し、前記要求情報に従って前記オンライン端末デバイスの少なくとも１つの近隣のネットワークデバイスを決定することと、
前記オンライン端末デバイスの１つまたは複数の信頼できる近隣のネットワークデバイスを前記少なくとも１つの近隣のネットワークデバイスから識別し、前記オンライン端末デバイスの１つまたは複数の重み付けされた近隣のネットワークデバイスを前記少なくとも１つの近隣のネットワークデバイスから識別することと、
前記１つまたは複数の信頼できる近隣のネットワークデバイスの数および前記１つまたは複数の重み付けされた近隣のネットワークデバイスの数に従って前記オンライン端末デバイスの信頼性スコアを演算し、前記信頼性スコアに従って、前記オンライン端末デバイスがアイデンティティ認証を通過したかどうかを示す認証通知情報を生成し、前記認証通知情報を前記オンライン端末デバイスに送信することと
を含み、前記１つまたは複数の信頼できる近隣のネットワークデバイスの前記数は、前記信頼できる近隣のネットワークデバイスの総数であり、前記１つまたは複数の重み付けされた近隣のネットワークデバイスの前記数は、前記重み付けされた近隣のネットワークデバイスの総数である、アイデンティティ認証方法。
【請求項２】
前記オンライン端末デバイスによって送信された前記要求情報を受信し、前記要求情報に従って前記オンライン端末デバイスの前記少なくとも１つの近隣のネットワークデバイスを決定することが、
近隣のネットワークデバイスを決定するために前記オンライン端末デバイスによって送信されたルーティング検出要求情報を受信することと、
前記ルーティング検出要求情報に従って履歴上の経路記録を取得し、マッチング結果を得るために、前記オンライン端末デバイスの現在の接続経路を前記履歴上の経路記録の履歴上の経路とマッチングさせることと、
前記マッチング結果がプリセット値を超える場合、前記マッチング結果と一致するデバイスを、前記オンライン端末デバイスの前記少なくとも１つの近隣のネットワークデバイスであると決定することと
を含む、請求項１に記載の方法。
【請求項３】
前記オンライン端末デバイスの前記１つまたは複数の信頼できる近隣のネットワークデバイスを前記少なくとも１つの近隣のネットワークデバイスから識別することが、履歴上のログインアカウントが近隣のネットワークデバイスとマッチングしたことの発生回数を計算することと、前記発生回数がプリセット発生回数閾値を超える場合、前記近隣のネットワークデバイスを、前記オンライン端末デバイスの信頼できる近隣のネットワークデバイスとして識別することとを含む、請求項１に記載の方法。
【請求項４】
前記オンライン端末デバイスの前記１つまたは複数の重み付けされた近隣のネットワークデバイスを前記少なくとも１つの近隣のネットワークデバイスから識別することが、近隣のネットワークデバイス上でのユーザのログイン回数がプリセットログイン回数閾値を超えることをアカウント履歴が示す場合、前記近隣のネットワークデバイスを、前記オンライン端末デバイスの前記１つまたは複数の重み付けされた近隣のネットワークデバイスのうちの１つであると決定することを含む、請求項１に記載の方法。
【請求項５】
前記１つまたは複数の信頼できる近隣のネットワークデバイスの前記数および前記１つまたは複数の重み付けされた近隣のネットワークデバイスの前記数に従って前記オンライン端末デバイスの前記信頼性スコアを演算することが、前記信頼できる近隣のネットワークデバイスの前記数および前記重み付けされた近隣のネットワークデバイスの前記数の和となるように前記信頼性スコアを演算することを含む、請求項１に記載の方法。
【請求項６】
前記少なくとも１つの近隣のネットワークデバイスから、前記１つまたは複数の信頼できる近隣のネットワークデバイスの前記数および前記１つまたは複数の重み付けされた近隣のネットワークデバイスの前記数を決定すること
を更に含む、請求項１に記載の方法。
【請求項７】
少なくとも１つの近隣のネットワークデバイスを決定するために要求情報をサーバに送信することと、
前記サーバによって送信された認証通知情報を受信することであって、前記認証通知情報が、オンライン端末デバイスがアイデンティティ認証を通過したかどうかを示し、前記認証通知情報が、前記オンライン端末デバイスに対応する信頼できる近隣のネットワークデバイスの数および前記オンライン端末デバイスに対応する重み付けされた近隣のネットワークデバイスの数に従って演算された前記オンライン端末デバイスの信頼性スコアに従って前記サーバによって生成された情報である、受信することと、
前記認証通知情報を表示することと
を含み、前記サーバが、前記少なくとも１つの近隣のネットワークデバイスから、前記信頼できる近隣のネットワークデバイスの前記数および前記重み付けされた近隣のネットワークデバイスの前記数を決定し、前記信頼できる近隣のネットワークデバイスの前記数は、前記信頼できる近隣のネットワークデバイスの総数であり、前記重み付けされた近隣のネットワークデバイスの前記数は、前記重み付けされた近隣のネットワークデバイスの総数である、アイデンティティ認証のための方法。
【請求項８】
前記要求情報を送信することが、前記少なくとも１つの近隣のネットワークデバイスを決定するためにルーティング検出要求情報を前記サーバに送信し、前記サーバが前記ルーティング検出要求情報に従って前記オンライン端末デバイスの前記少なくとも１つの近隣のネットワークデバイスを決定できるようにすることを含む、請求項７に記載の方法。
【請求項９】
前記要求情報を送信することが、
アドレス解決プロトコル（ＡＲＰ）要求メッセージを放送することと、
前記オンライン端末デバイスと同じブロードキャストドメインの少なくとも１つの応答デバイスによって送信されたＡＲＰ応答メッセージを受信することであって、前記ＡＲＰ応答メッセージが、前記応答デバイスのハードウェア媒体アクセス制御（ＭＡＣ）アドレスを保持する、受信することと、
前記ＭＡＣアドレスを保持する前記要求情報を前記サーバに送信し、前記サーバが、前記受信されたＭＡＣアドレスと一致するデバイスを、前記オンライン端末デバイスの前記少なくとも１つの近隣のネットワークデバイスのうちの１つであると決定できるようにすることと
を含む、請求項７に記載の方法。
【請求項１０】
前記要求情報を送信することが、
ワイヤレスローカルネットワーク（ＷＬＡＮ）のサービスセット識別子（ＳＳＩＤ）を得るために、隣接するＷＬＡＮを探索することと、
前記ＳＳＩＤを保持する前記要求情報を前記サーバに送信し、前記サーバが、前記ＳＳＩＤを有する前記ＷＬＡＮを、前記オンライン端末デバイスの前記少なくとも１つの近隣のネットワークデバイスのうちの１つであると決定できるようにすることと
を含む、請求項７に記載の方法。
【請求項１１】
前記要求情報を送信することが、
前記オンライン端末デバイスの現在のネットワークが移動体通信用グローバルシステム（ＧＳＭ）ネットワークである場合は、前記オンライン端末デバイスの現在の接続ポイントに隣接する基地局の基地局情報を取得することと、
前記基地局情報を保持する前記要求情報を前記サーバに送信し、前記サーバが、前記基地局情報と一致する前記基地局を、前記オンライン端末デバイスの前記少なくとも１つの近隣のネットワークデバイスのうちの１つであると決定できるようにすることと
を含む、請求項７に記載の方法。
【請求項１２】
近隣のネットワークデバイスを決定するためにオンライン端末デバイスによって送信された要求情報を受信し、前記要求情報に従って前記オンライン端末デバイスの少なくとも１つの近隣のネットワークデバイスを決定するように構成された受信ユニットと、
前記オンライン端末デバイスの１つまたは複数の信頼できる近隣のネットワークデバイスを前記少なくとも１つの近隣のネットワークデバイスから識別し、前記オンライン端末デバイスの１つまたは複数の重み付けされた近隣のネットワークデバイスを前記少なくとも１つの近隣のネットワークデバイスから識別するように構成された識別ユニットと、
前記１つまたは複数の信頼できる近隣のネットワークデバイスの数および前記１つまたは複数の重み付けされた近隣のネットワークデバイスの数に従って前記オンライン端末デバイスの信頼性スコアを演算し、前記信頼性スコアに従って、前記オンライン端末デバイスがアイデンティティ認証を通過したかどうかを示す認証通知情報を生成し、前記認証通知情報を前記オンライン端末デバイスに送信するように構成された認証ユニットと
を含み、前記１つまたは複数の信頼できる近隣のネットワークデバイスの前記数は、前記信頼できる近隣のネットワークデバイスの総数であり、前記１つまたは複数の重み付けされた近隣のネットワークデバイスの前記数は、前記重み付けされた近隣のネットワークデバイスの総数である、アイデンティティ認証装置。
【請求項１３】
前記受信ユニットが、
少なくとも１つの近隣のネットワークデバイスを決定するために前記オンライン端末デバイスによって送信されたルーティング検出要求情報を受信することと、
前記ルーティング検出要求情報に従って履歴上の経路記録を取得し、マッチング結果を得るために、前記オンライン端末デバイスの現在の接続経路を前記履歴上の経路記録の履歴上の経路とマッチングさせることと、
前記マッチング結果がプリセット値を超える場合、前記マッチング結果と一致する少なくとも１つのデバイスを、前記オンライン端末デバイスの前記少なくとも１つの近隣のネットワークデバイスであると決定することと
を行うようにさらに構成される、請求項１２に記載の装置。
【請求項１４】
前記識別ユニットが、履歴上のログインアカウントが近隣のネットワークデバイスとマッチングしたことの発生回数を計算することと、前記発生回数がプリセット発生回数閾値を超える場合、前記近隣のネットワークデバイスを、前記オンライン端末デバイスの前記１つまたは複数の信頼できる近隣のネットワークデバイスのうちの１つとして識別することとを行うようにさらに構成される、請求項１２に記載の装置。
【請求項１５】
前記識別ユニットが、近隣のネットワークデバイス上でのユーザのログイン回数がプリセットログイン回数閾値を超えることをアカウント履歴が示す場合、前記近隣のネットワークデバイスを、前記オンライン端末デバイスの前記１つまたは複数の重み付けされた近隣のネットワークデバイスのうちの１つであると決定するようにさらに構成される、請求項１２に記載の装置。
【請求項１６】
前記信頼性スコアが、前記１つまたは複数の信頼できる近隣のネットワークデバイスの前記数および前記１つまたは複数の重み付けされた近隣のネットワークデバイスの前記数の和であり、 
前記認証ユニットが、
前記信頼性スコアがプリセット信頼性閾値を超える場合、前記オンライン端末デバイスが前記アイデンティティ認証を通過したことを示すために前記認証通知情報を生成し、
前記信頼性スコアが前記プリセット信頼性閾値を超えない場合、前記オンライン端末デバイスが前記アイデンティティ認証を通過しなかったことを示すために前記認証通知情報を生成する
ようにさらに構成される、請求項１２に記載の装置。
【請求項１７】
プロセッサと、
命令を格納する非一時的なコンピュータ可読記憶媒体とを含むサーバであって、前記命令が、前記プロセッサによって実行されると、
要求情報に従ってオンライン端末デバイスの少なくとも１つの近隣のネットワークデバイスを決定するために前記オンライン端末デバイスによって送信された前記要求情報を受信することと、
前記オンライン端末デバイスの１つまたは複数の信頼できる近隣のネットワークデバイスを前記少なくとも１つの近隣のネットワークデバイスから識別し、前記オンライン端末デバイスの１つまたは複数の重み付けされた近隣のネットワークデバイスを前記少なくとも１つの近隣のネットワークデバイスから識別することと、
前記１つまたは複数の信頼できる近隣のネットワークデバイスの数および前記１つまたは複数の重み付けされた近隣のネットワークデバイスの数に従って前記オンライン端末デバイスの信頼性スコアを演算し、前記信頼性スコアに従って、前記オンライン端末デバイスがアイデンティティ認証を通過したかどうかを示す認証通知情報を生成し、前記認証通知情報を前記オンライン端末デバイスに送信することと
を前記プロセッサに行わせ、前記１つまたは複数の信頼できる近隣のネットワークデバイスの前記数は、前記信頼できる近隣のネットワークデバイスの総数であり、前記１つまたは複数の重み付けされた近隣のネットワークデバイスの前記数は、前記重み付けされた近隣のネットワークデバイスの総数である、サーバ。
【請求項１８】
前記プロセッサによって実行されると、前記オンライン端末デバイスの１つまたは複数の信頼できる近隣のネットワークデバイスを前記少なくとも１つの近隣のネットワークデバイスから識別し、前記オンライン端末デバイスの１つまたは複数の重み付けされた近隣のネットワークデバイスを前記少なくとも１つの近隣のネットワークデバイスから識別することを前記プロセッサに行わせる命令が、前記プロセッサによって実行されると、
履歴上のログインアカウントが近隣のネットワークデバイスとマッチングしたことの発生回数を計算することと、前記発生回数がプリセット発生回数閾値を超える場合、前記近隣のネットワークデバイスを、前記オンライン端末デバイスの信頼できる近隣のネットワークデバイスとして識別することと
を前記プロセッサに行わせる命令を含む、請求項１７に記載のサーバ。
【請求項１９】
前記プロセッサによって実行されると、前記１つまたは複数の信頼できる近隣のネットワークデバイスの数および前記重み付けされた近隣のネットワークデバイスの数に従って前記オンライン端末デバイスの信頼性スコアを演算することを前記プロセッサに行わせる命令が、前記プロセッサによって実行されると、
前記１つまたは複数の信頼できる近隣のネットワークデバイスの前記数および前記重み付けされた近隣のネットワークデバイスの前記数の和となるように前記信頼性スコアを演算すること
を前記プロセッサに行わせる命令を含む、請求項１７に記載のサーバ。
【請求項２０】
要求情報に従ってオンライン端末デバイスの少なくとも１つの近隣のネットワークデバイスを決定するために前記オンライン端末デバイスによって送信された前記要求情報を受信することと、
前記要求情報に従って前記オンライン端末デバイスの前記少なくとも１つの近隣のネットワークデバイスを決定することと、
前記オンライン端末デバイスの１つまたは複数の信頼できる近隣のネットワークデバイスの数を前記少なくとも１つの近隣のネットワークデバイスから決定することであって、前記１つまたは複数の信頼できる近隣のネットワークデバイスの前記数は、前記信頼できる近隣のネットワークデバイスの総数であることと、
前記信頼できる近隣のネットワークデバイスの数に基づいて前記オンライン端末デバイスがアイデンティティ認証を通過したかどうかを判断することと
を含む、アイデンティティ認証方法。
【請求項２１】
要求情報に従ってオンライン端末デバイスの少なくとも１つの近隣のネットワークデバイスを決定するために前記オンライン端末デバイスによって送信された前記要求情報を受信することと、
前記要求情報に従って前記オンライン端末デバイスの前記少なくとも１つの近隣のネットワークデバイスを決定することと、
前記オンライン端末デバイスの１つまたは複数の重み付けされた近隣のネットワークデバイスの数を前記少なくとも１つの近隣のネットワークデバイスから決定することであって、前記１つまたは複数の重み付けされた近隣のネットワークデバイスの前記数は、前記重み付けされた近隣のネットワークデバイスの総数であることと、
前記信頼できる近隣のネットワークデバイスの数に基づいて前記オンライン端末デバイスがアイデンティティ認証を通過したかどうかを判断することと
を含む、アイデンティティ認証方法。
【請求項２２】
命令を格納する非一時的コンピュータ可読媒体であって、前記命令は、サーバにアイデンティティ認証方法を行わせるように、前記サーバの１つまたは複数のプロセッサによって実行可能であり、前記アイデンティティ認証方法は、
近隣のネットワークデバイスを決定するためにオンライン端末デバイスによって送信された要求情報を受信し、前記要求情報に従って前記オンライン端末デバイスの少なくとも１つの近隣のネットワークデバイスを決定することと、
前記オンライン端末デバイスの１つまたは複数の信頼できる近隣のネットワークデバイスを前記少なくとも１つの近隣のネットワークデバイスから識別し、前記オンライン端末デバイスの１つまたは複数の重み付けされた近隣のネットワークデバイスを前記少なくとも１つの近隣のネットワークデバイスから識別することと、
前記１つまたは複数の信頼できる近隣のネットワークデバイスの数および前記１つまたは複数の重み付けされた近隣のネットワークデバイスの数に従って前記オンライン端末デバイスの信頼性スコアを演算し、前記信頼性スコアに従って、前記オンライン端末デバイスがアイデンティティ認証を通過したかどうかを示す認証通知情報を生成し、前記認証通知情報を前記オンライン端末デバイスに送信すること
であって、前記１つまたは複数の信頼できる近隣のネットワークデバイスの前記数は、前記信頼できる近隣のネットワークデバイスの総数であり、前記１つまたは複数の重み付けされた近隣のネットワークデバイスの前記数は、前記重み付けされた近隣のネットワークデバイスの総数であることと
を含む、非一時的コンピュータ可読媒体。
【請求項２３】
前記命令は、
近隣のネットワークデバイスを決定するために前記オンライン端末デバイスによって送信されたルーティング検出要求情報を受信することと、
前記ルーティング検出要求情報に従って履歴上の経路記録を取得し、マッチング結果を得るために、前記オンライン端末デバイスの現在の接続経路を前記履歴上の経路記録の履歴上の経路とマッチングさせることと、
前記マッチング結果がプリセット値を超える場合、前記マッチング結果と一致するデバイスを、前記オンライン端末デバイスの前記少なくとも１つの近隣のネットワークデバイスであると決定することと
を前記サーバに更に行わせるように、前記サーバの前記１つまたは複数のプロセッサによって実行可能である、請求項２２に記載の非一時的コンピュータ可読媒体。
【請求項２４】
前記命令は、
履歴上のログインアカウントが近隣のネットワークデバイスとマッチングしたことの発生回数を計算することと、前記発生回数がプリセット発生回数閾値を超える場合、前記近隣のネットワークデバイスを、前記オンライン端末デバイスの信頼できる近隣のネットワークデバイスとして識別することと 
を前記サーバに更に行わせるように、前記サーバの前記１つまたは複数のプロセッサによって実行可能である、請求項２２に記載の非一時的コンピュータ可読媒体。
【請求項２５】
前記命令は、
近隣のネットワークデバイス上でのユーザのログイン回数がプリセットログイン回数閾値を超えることをアカウント履歴が示す場合、前記近隣のネットワークデバイスを、前記オンライン端末デバイスの前記１つまたは複数の重み付けされた近隣のネットワークデバイスのうちの１つであると決定すること
を前記サーバに更に行わせるように、前記サーバの前記１つまたは複数のプロセッサによって実行可能である、請求項２２に記載の非一時的コンピュータ可読媒体。
【請求項２６】
前記命令は、
前記１つまたは複数の信頼できる近隣のネットワークデバイスの前記数および前記１つまたは複数の重み付けされた近隣のネットワークデバイスの前記数の和となるように前記信頼性スコアを演算すること
を前記サーバに更に行わせるように、前記サーバの前記１つまたは複数のプロセッサによって実行可能である、請求項２２に記載の非一時的コンピュータ可読媒体。
【請求項２７】
命令を格納する非一時的コンピュータ可読媒体であって、前記命令は、オンライン端末デバイスにアイデンティティ認証方法を行わせるように、前記オンライン端末デバイスの１つまたは複数のプロセッサによって実行可能であり、前記アイデンティティ認証方法は、
少なくとも１つの近隣のネットワークデバイスを決定するために要求情報をサーバに送信することと、
前記サーバによって送信された認証通知情報を受信することであって、前記認証通知情報が、オンライン端末デバイスがアイデンティティ認証を通過したかどうかを示し、前記認証通知情報が、前記オンライン端末デバイスに対応する１つまたは複数の信頼できる近隣のネットワークデバイスの数および前記オンライン端末デバイスに対応する重み付けされた近隣のネットワークデバイスの数に従って演算された前記オンライン端末デバイスの信頼性スコアに従って前記サーバによって生成された情報である、受信すること
であって、前記１つまたは複数の信頼できる近隣のネットワークデバイスの前記数は、前記信頼できる近隣のネットワークデバイスの総数であり、前記１つまたは複数の重み付けされた近隣のネットワークデバイスの前記数は、前記重み付けされた近隣のネットワークデバイスの総数であることと、
前記認証通知情報を表示することと
を含む、非一時的コンピュータ可読媒体。
【請求項２８】
前記命令は、
前記少なくとも１つの近隣のネットワークデバイスを決定するためにルーティング検出要求情報を前記サーバに送信し、前記サーバが前記ルーティング検出要求情報に従って前記オンライン端末デバイスの前記少なくとも１つの近隣のネットワークデバイスを決定できるようにすること
を前記オンライン端末デバイスに更に行わせるように、前記オンライン端末デバイスの前記１つまたは複数のプロセッサによって実行可能である、請求項２７に記載の非一時的コンピュータ可読媒体。
【請求項２９】
前記命令は、
アドレス解決プロトコル（ＡＲＰ）要求メッセージを放送することと、
前記オンライン端末デバイスと同じブロードキャストドメインの少なくとも１つの応答デバイスによって送信されたＡＲＰ応答メッセージを受信することであって、前記ＡＲＰ応答メッセージが、前記応答デバイスのハードウェア媒体アクセス制御（ＭＡＣ）アドレスを保持する、受信することと、
前記ＭＡＣアドレスを保持する前記要求情報を前記サーバに送信し、前記サーバが、前記受信されたＭＡＣアドレスと一致するデバイスを、前記オンライン端末デバイスの前記少なくとも１つの近隣のネットワークデバイスのうちの１つであると決定できるようにすることと
を前記オンライン端末デバイスに更に行わせるように、前記オンライン端末デバイスの前記１つまたは複数のプロセッサによって実行可能である、請求項２７に記載の非一時的コンピュータ可読媒体。
【請求項３０】
前記命令は、
ワイヤレスローカルネットワーク（ＷＬＡＮ）のサービスセット識別子（ＳＳＩＤ）を得るために、隣接するＷＬＡＮを探索することと、
前記ＳＳＩＤを保持する前記要求情報を前記サーバに送信し、前記サーバが、前記ＳＳＩＤを有する前記ＷＬＡＮを、前記オンライン端末デバイスの前記少なくとも１つの近隣のネットワークデバイスのうちの１つであると決定できるようにすることと
を前記オンライン端末デバイスに更に行わせるように、前記オンライン端末デバイスの前記１つまたは複数のプロセッサによって実行可能である、請求項２７に記載の非一時的コンピュータ可読媒体。
【請求項３１】
前記命令は、
前記オンライン端末デバイスの現在のネットワークが移動体通信用グローバルシステム（ＧＳＭ）ネットワークである場合は、前記オンライン端末デバイスの現在の接続ポイントに隣接する基地局の基地局情報を取得することと、
前記基地局情報を保持する前記要求情報を前記サーバに送信し、前記サーバが、前記基地局情報と一致する前記基地局を、前記オンライン端末デバイスの前記少なくとも１つの近隣のネットワークデバイスのうちの１つであると決定できるようにすることと
を前記オンライン端末デバイスに更に行わせるように、前記オンライン端末デバイスの前記１つまたは複数のプロセッサによって実行可能である、請求項２７に記載の非一時的コンピュータ可読媒体。